(57)【要約】【課題】便器のロータンクに取付け、排水弁の引上げを手動・電動双方で行うことができる便器洗浄装置において、単一のモータで駆動可能で市販されているいろいろなロータンクに取付けが可能な便器洗浄装置を提供する。【解決手段】動作軸とモータと減速ギヤと減速ギヤを介してモータに接続された駆動軸と筐体からなり、便器のロータンクに取付け、モータ駆動により動作軸に鎖を介して連結された排水弁を引上げることを目的とした便器洗浄装置において、モータの減速比が変更可能とした。【選択図】　図１
2004124593.tif 000002
【特許請求の範囲】
【請求項１】
動作軸とモータと減速ギヤと減速ギヤを介してモータに接続された駆動軸と筐体からなり、便器のロータンクに取付け、モータ駆動により動作軸に鎖を介して連結された排水弁を引上げることを目的とした便器洗浄装置において、モータの減速比が変更可能であることを特徴とした便器洗浄装置。
【請求項２】
請求項１の便器洗浄装置において、モータの減速比の変更は動作軸の交換によることを特徴とした便器洗浄装置。
【請求項３】
請求項１の便器洗浄装置において、モータの減速比の変更は本体側に設けられた駆動軸の選択によることを特徴とした便器洗浄装置。
【請求項４】
動作軸とＤＣモータと減速ギヤと減速ギヤを介してＤＣモータに接続された駆動軸と筐体からなり、便器のロータンクに取付け、ＤＣモータ駆動により動作軸に鎖を介して連結された排水弁を引上げることを目的とした便器洗浄装置において、ＤＣモータに印加する直流電圧が可変もしくはＰＷＭ制御できることを特徴とした便器洗浄装置。
【請求項５】
動作軸とモータと減速ギヤと減速ギヤを介してモータに接続された駆動軸と筐体からなり、便器のロータンクに取付け、モータ駆動により動作軸に鎖を介して連結された排水弁を引上げることを目的とした便器洗浄装置において、ロータンクと自身との間にロータンクの傾斜角と略同一の傾斜がついたワッシャを挟んで固定することを特徴とした便器洗浄装置。
【発明の詳細な説明】
【０００１】
【発明の属する技術分野】
本発明は、便器のロータンクに取付け、排水弁の引上げを手動・電動双方で行うことができる便器洗浄装置の構造および制御方式に関するものである。
【０００２】
【従来の技術】
従来の便器洗浄装置は、図１０で示されるように、手動レバー３０と手動軸３１と動作軸３２とモータと減速ギヤと減速ギヤを介してＤＣモータに接続された駆動軸と筐体からなり、形状・仕様が限定された特定のロータンクへ取付けることを目的として開発された。通常はリモコンの洗浄開始釦を押すと、ＤＣモータが回転し、減速ギヤを介して駆動軸と動作軸３２が回転し、動作軸３２に取付けられた玉鎖３３が引き上げられて排水弁が開き、便器洗浄が行われる。
動作軸３２・駆動軸・手動軸３１はともに回転する構造になっているので、停電時などＤＣモータが使用できない状況であっても、手動レバーを介して手動軸３１を回せば動作軸３２が回転し、同じように洗浄動作を行うことができる（例えば、特許文献１参照）。
【０００３】
【特許文献１】
特開２００１−６５０２８号公報
【０００４】
【発明が解決しようとする課題】
しかし、これらの便器洗浄装置は特定のロータンクにしか取り付かなかった。この理由を以下に記載する。一般に市販されているロータンクは排水弁引上げ動作を行う場合、手動レバーと排水弁の位置関係よりおおよそ、
（１）大トルク−小角速度
（２）小トルク−大角速度
の２種類に大別することができる。
【０００５】
しかし、従来の便器洗浄装置は排水弁の引上げトルクを変更することができない。そのため、排水弁引上げトルクの異なるいろいろなロータンクに対応しようとしたときにはモータ仕様を、大トルク−大角速度　で対応としなければならないが、この場合モータの大型化に伴いユニットも大きくなるので、ロータンクによっては干渉して取り付かないという問題が発生する。また、このユニットを小トルク−大角速度のロータンクに取付け、一定の電圧で動作させた場合、負荷が軽いがゆえに角速度が必要以上に上昇し、過大な衝撃荷重により玉鎖が切れるという問題が発生する。
【０００６】
またロータンクの中には側面が鉛直下向きに狭まる方向にテーパが付いているものが存在する。このようなロータンクに従来の便器洗浄ユニットを取付けると、ユニットがロータンクのテーパ角に沿って傾き、上方に跳ね上がった動作軸の先端がロータンクの手洗鉢と干渉し、動作不良を起こすという問題が発生する。
【０００７】
本発明は、上記課題を解決するためになされたもので、本発明は、単一のモータで駆動可能で市販されているいろいろなロータンクに取付け可能な便器洗浄装置を提供することを目的とする。
【０００８】
【課題を解決するための手段及び作用、効果】
上記課題を解決するために、請求項１の発明においては、減速比を変更することができるので、モータを必要以上に大きくせずとも適切な減速比を選定することにより、排水弁の引上げトルクが異なるさまざまな便器に対応することが可能となる。
【０００９】
請求項２の発明においては、動作軸を交換するとその動作軸に内蔵されたギヤの歯数によって減速比が変更される。
【００１０】
請求項３の発明においては便器洗浄装置本体に減速比の異なる出力軸が複数存在し、どの出力軸に駆動軸を組み付けるかによって減速比を変更することが可能である。
【００１１】
請求項４の発明においては、取付ける便器の種類に応じ、排水弁の引上げ速度が最適になるようＤＣモータに印加する電圧若しくはデューティー比が調整できるので、引上げ速度が速すぎて衝撃力で玉鎖が切断される心配がない。
【００１２】
請求項５の発明においては、ロータンクの側面に傾斜がついていても、傾斜ワッシャを介すれば便器洗浄ユニットを略水平に取付けることができるので、便器洗浄ユニットをロータンクの手洗鉢や蓋に干渉することなく取付けることが可能となる。
【００１３】
【発明の実施の形態】
以下図面を参照して実施例について説明する。
【００１４】
図１は本発明の便器洗浄装置の分解構成図である。１は手動レバー、２は手動レバー固定用ネジ、３は便器洗浄ユニット７本体若しくは延長取付部材５をロータンクに取付けるためのナット、４はロータンクが傾斜している際に使用される傾斜ワッシャ、５は便器洗浄ユニット本体７に一端が固定され、他端に固定用ネジ部を有する延長取付部材、６は延長取付部材５内に回動自在に嵌装され、手動レバー１の回動を便器洗浄ユニット本体７に伝達するための延長駆動軸、７は内部に電動モータ及び伝達用ギア列を有する便器洗浄ユニット本体、８は便器洗浄ユニット７から突出する動作軸であり、外周には歯車を形成している。
また、ロータンクの種類によって前記動作軸８に選択的に取付けられる伝達軸９若しくは伝達軸１７を設ける。伝達軸１７の一端には減速ギアが直結され、他端には図３に詳述するように比較的長いクランク形状のアーム１８が設けられる。
更に、ロータンクの種類によって伝達軸９に選択的に取付けられる玉鎖取付レバー１１、１６、Ａをピン１４を用いて伝達軸９に回転不能に取付ける。
【００１５】
図２は玉鎖取付レバー１１が選択されるロータンク（小トルク−大角速度タイプ）に本発明の便器洗浄装置を取り付けた状態の断面図である。図では本体７に設けられた角ダボをロータンク側面に穿孔された角穴にロータンク内側から挿入し、ロータンク外側からナット３を締めこむことにより本体７がロータンクに固定されている。
図示しないリモコンの便器洗浄スイッチを押すと、本体７に内蔵された駆動モータに通電され、伝達ギアを介して動作軸８に回転トルクが伝わる。動作軸８には伝達軸９が組み付けられており、その先端に付いている玉鎖取付レバー１１が回転し、玉鎖取付レバー１１に玉鎖２１で係合された排水弁２０が引上げられる。
【００１６】
図３は伝達軸１７が選択されるロータンク（大トルク−小角速度タイプ）に本発明の便器洗浄装置を取り付けた状態の断面図である。この種のロータンクではロータンク前面に便器洗浄レバーが設置され、便器洗浄装置の回転軸と排水弁心との距離Ｌが長く、排水弁引上げトルクが大きい。便器洗浄ユニット本体７から突出する動作軸８の外周に設けた歯車に噛み合う減速ギヤを内蔵した伝達軸１７にすることにより、減速比および引上げトルクが増大し、排水弁の引上げが可能となる。
【００１７】
なお、図４に示すように本体７に減速比の異なる２つの動作軸８ａ，８ｂとすれば、伝達軸１７に減速ギアを設ける必要は無い。この場合には減速比が小さい動作軸８ａに伝達軸９を接続し、減速比が大きい動作軸８ｂに伝達軸１７を接続することで、便器に適した引上げトルクを選択することができる。
【００１８】
図５ではロータンクが外装ケースと貯水タンクとの２重になっているため、本体７のロータンクへの取り付けに延長取付部材５と延長駆動軸６を用い、２重タンクの隙間をかわしている。
【００１９】
図６ではロータンク側面に傾斜がついているため、本体７のロータンクへの取り付けにロータンクの内外に２枚の傾斜ワッシャ４を用い、本体７を略水平に取付けることにより、便器洗浄ユニットとロータンク手洗鉢との干渉を回避している。
【００２０】
次に、電気的な制御で駆動トルクを調整する方法を説明する。図７、図８はＤＣモータの制御回路を示している。図８において可変抵抗Ｒを調整するとＤＣモータの電流が変更され、ＤＣモータの出力を変更することが出来る。
【００２１】
図９は図７におけるスイッチングトランジスタ２５への制御信号を示しているが、この図において時間ａとｂの比率を変更することによりＤＣモータの出力を変更することが出来る。
【図面の簡単な説明】
【図１】本発明の第１の実施例の便器洗浄装置の分解構成図
【図２】玉鎖取付部材１１が選択されるロータンク（小トルク−大角速度タイプ）に本発明の便器洗浄装置を取り付けた状態の断面図
【図３】伝達軸１７が選択されるロータンク（大トルク−小角速度タイプ）に本発明の便器洗浄装置を取り付けた状態の断面図
【図４】本発明の第２の実施例（２つの動作軸８ａ，８ｂを有する便器洗浄装置）の便器洗浄装置の平面図
【図５】延長取付部材５と延長駆動軸６を用いて本発明の便器洗浄装置を取り付けた状態の断面図
【図６】傾斜ワッシャ４を用いて本発明の便器洗浄装置を取り付けた状態の断面図
【図７】ＤＣモータの制御回路（１）
【図８】ＤＣモータの制御回路（２）
【図９】図７に示す制御回路（１）のスイッチングトランジスタ２５への制御信号
【図１０】従来の便器洗浄装置の断面図
【符号の説明】
１…手動レバー、２…ねじ、３…ナット、４…傾斜ワッシャ、
５…延長用取付部材、６…延長駆動軸、７…便器洗浄ユニット本体、８…動作軸、
９…伝達軸、１０…スペーサ、１１…玉鎖取付レバー、１２…玉鎖取付レバー本体
１３…小用レバー、１４…固定用ピン、１５…固定用ピン、
１６…玉鎖取付レバー（隅付タンク用）、１７…伝達軸（減速ギア付）、
１８…アーム、２０…排水弁、２１…玉鎖、２２…ボールタップ、２３…フロート
２４…貯水タンク、２５…スイッチングトランジスタ
３０…手動レバー、３１…手動軸、３２…動作軸、３３…玉鎖
【図１】
2004124593.tif 000003
【図２】
2004124593.tif 000004
【図３】
2004124593.tif 000005
【図４】
2004124593.tif 000006
【図５】
2004124593.tif 000007
【図６】
2004124593.tif 000008
【図７】
2004124593.tif 000009
【図８】
2004124593.tif 000010
【図９】
2004124593.tif 000011
【図１０】
2004124593.tif 000012